(57)【要約】【課題】  露光位置搬送ユニットの取り外し取り付け作業をせずとも、例えば露光位置搬送ユニット内のローラーの清掃などのメンテナンス作業を行える写真処理装置を提供する。【解決手段】    印画紙に画像データをライン状に焼き付けるためのライン状の露光ヘッドと、露光ヘッドにより露光される露光面に感光材料を搬入・搬出するための搬送機構を有する露光位置搬送ユニットとが備えられた写真処理装置において、露光位置搬送ユニットを、露光ヘッドに対して近接する搬送位置と露光ヘッドから離間する退避位置とに移動可能とする構成とすると共に、搬送機構が、駆動ローラ及びこの駆動ローラに圧接する圧接ローラとから構成される搬送ローラ対を備えた。【選択図】  図３
2005346111.tif 000002
【特許請求の範囲】
【請求項１】
感光材料に画像データをライン状に焼き付けるためのライン状の露光ヘッドと、露光ヘッドにより露光される露光面に感光材料を搬入・搬出するための搬送機構を有する露光位置搬送ユニットとが備えられた写真処理装置において、露光位置搬送ユニットを、露光ヘッドに対して近接する搬送位置と露光ヘッドから離間する退避位置とに移動可能とする構成としたことを特徴とする写真処理装置。
【請求項２】
露光面に感光材料を搬入・搬出するための搬送機構が、駆動ローラ及びこの駆動ローラに圧接する圧接ローラとから構成される搬送ローラ対を備えていることを特徴とする請求項１に記載の写真処理装置。
【請求項３】
露光位置搬送ユニットを所定の搬送位置に位置決めするための位置決め手段を備えていることを特徴とする請求項１または２に記載の写真処理装置。
【請求項４】
露光位置搬送ユニットを搬送位置と退避位置とに移動させるための駆動手段と、駆動手段により露光位置搬送ユニットが退避位置から搬送位置に強制移動されるときに、露光位置搬送ユニットが所定の搬送位置に到達した後も駆動手段を駆動させるように制御する制御手段を備えていることを特徴とする請求項３に記載の写真処理装置。
【発明の詳細な説明】
【技術分野】
【０００１】
本発明は、感光材料に画像データをライン状に焼き付けるためのライン状の露光ヘッドと、露光ヘッドにより露光される露光面に感光材料を搬入・搬出するための搬送機構を備える露光位置搬送ユニットとを備えた写真処理装置に関する。
【背景技術】
【０００２】
一般に、写真処理装置は、写真感光材料としての印画紙に画像焼付け処理と現像処理とを行うようにしており、さらに、印画紙に画像を焼き付けるにあたっては、印画紙を搬送しながら露光装置で画像をライン状に１ドットずつ露光する所謂デジタル露光方式により画像の焼付けを行うようにしたものがある。
【０００３】
ライン露光を行う露光装置としては、例えば、印画紙の搬送方向と直交する方向に延びるＰＬＺＴシャッター方式のライン露光ヘッドを備えたものがあり、このライン露光ヘッドによる露光処理は、印画紙を１ドットずつ搬送しながら露光を行うため、専用の露光用の搬送装置が必要となる。
この露光用の搬送装置は、一般に機体への組み付け作業性を向上させるために、駆動モータで回転駆動される駆動ローラーと、該駆動ローラーに弾性的に圧接する圧接ローラーとからなる搬送ローラー対を２対搭載したユニットになっており、この露光位置搬送ユニットを機体に組み付けるようになっている。
【０００４】
ところで、露光面は、印画紙の搬送面と同一面上に位置し、通常、露光ヘッドと対向した露光面には露光位置搬送ユニットが位置している。
【０００５】
そのため、従来の写真処理装置では、例えば露光位置搬送ユニット内で紙づまりが生じた場合、紙づまりした印画紙を取り出すために露光位置搬送ユニットを取り外さなくてはならないし、また例えば露光位置搬送ユニット内のローラーの清掃などのメンテナンスを行う場合にも露光位置搬送ユニットを取り外さなくてはならず、この場合においても作業が煩雑化する不具合がある。
【発明の開示】
【発明が解決しようとする課題】
【０００６】
本発明は以上の実情に鑑みて開発したものであって、露光位置搬送ユニットの取り外し取り付け作業をせずとも、例えば露光位置搬送ユニット内のローラーの清掃などのメンテナンス作業を行える写真処理装置を提供することにある。
【課題を解決するための手段】
【０００７】
以上の目的を達成するために、請求項１に記載の発明は、感光材料に画像データをライン状に焼き付けるためのライン状の露光ヘッドと、露光ヘッドにより露光される露光面に感光材料を搬入・搬出するための搬送機構を有する露光位置搬送ユニットとが備えられた写真処理装置において、露光位置搬送ユニットを、露光ヘッドに対して近接する搬送位置と露光ヘッドから離間する退避位置とに移動可能とする構成としたことを特徴とするものである。
【０００８】
請求項２に記載の発明は、請求項１に記載の写真処理装置において、露光面に感光材料を搬入・搬出するための搬送機構が、駆動ローラ及びこの駆動ローラに圧接する圧接ローラとから構成される搬送ローラ対を備えていることを特徴とするものである。
【０００９】
また請求項３に記載の発明は、請求項１または２に記載の写真処理装置において、露光位置搬送ユニットを所定の搬送位置に位置決めするための位置決め手段を備えていることを特徴とするものである。
【００１０】
また請求項４に記載の発明は、請求項３に記載の写真処理装置において、露光位置搬送ユニットを搬送位置と退避位置とに移動させるための駆動手段と、駆動手段により露光位置搬送ユニットが退避位置から搬送位置に強制移動されるときに、露光位置搬送ユニットが所定の搬送位置に到達した後も駆動手段を駆動させるように制御する制御手段を備えている構成とした。
【発明の効果】
【００１１】
請求項１に記載の発明によれば、感光材料に画像データをライン状に焼き付けるためのライン状の露光ヘッドと、露光ヘッドにより露光される露光面に感光材料を搬入・搬出するための搬送機構を有する露光位置搬送ユニットとが備えられた写真処理装置において、露光位置搬送ユニットを、露光ヘッドに対して近接する搬送位置と露光ヘッドから離間する退避位置とに移動可能とする構成としたから、例えば露光位置搬送ユニット内で紙づまりが生じた場合でも、露光位置搬送ユニットを退避位置に移動させるだけで、紙づまりした印画紙を取り出すことができ、紙づまりした紙の取り出しやローラーの清掃などのメンテナンス作業が容易になる。
【００１２】
請求項２に記載の発明によれば、請求項１に記載の発明の効果に加え、搬送機構の搬送ローラ対を構成する駆動ローラと圧接ローラも一体となって搬送位置ないし退避位置に移動して、より一層、メンテナンス作業が行い易い。
【００１３】
請求項３に記載の発明によれば、請求項１または２に記載の発明の効果に加え、搬送ユニットを退避位置から搬送位置に移動させるときでも、位置決め手段により、ピント面が一致した所定の搬送位置に簡単に位置づけさせることができる。
【００１４】
請求項４に記載の発明によれば、請求項３に記載の発明の効果に加え、制御手段によるこのオーバーラン制御により、露光位置搬送ユニットに多少の外部振動が入力されても露光位置搬送ユニットが揺れることなく露光位置搬送ユニットを所定の位置に確実に維持することが出来、その結果、露光面（ピント面）に対する露光位置搬送ユニットの搬送面のずれが生じることもなくなり、ズレ量をピント、色ズレの規定範囲内に収めることができ、位置の再現性、ピントの安定性の向上が図れる。
【００１５】
さらに、プリントアウトされたプリントを直接スキャニングして補正する必要が無くなり、補正機能のオート化も可能となる。
【発明を実施するための最良の形態】
【００１６】
以下、本発明の実施の形態を図面に基づいて説明する。
【００１７】
図１に示す本実施の形態の写真処理装置は、感光材料である印画紙Ｐに画像情報を焼き付ける焼付処理部２を示したものであり、機体１に、２つのペーパーマガジン３１，３１、ＰＬＺＴシャッター方式による露光装置３２、印字装置３３、印画紙Ｐを搬送するための感光材料搬送装置４とを搭載している。
【００１８】
感光材料搬送装置４は、主として駆動モータの回転駆動により回転する駆動ローラー４１と、駆動ローラー４１に圧接して共回りする圧接ローラー４２、搬送ベルト４３とから構成されており、印画紙Ｐは、この感光材料搬送装置４の駆動ローラー４１と圧接ローラー４２とで挟持されながら、または、搬送ベルト４３で挟持されながら搬送されるようになっている。
【００１９】
さらに、以上の感光材料搬送装置４の搬送経路２１中に、露光装置３２が配設される露光部２２と、印字装置３３が配設される印字部２３とが設けられている。
【００２０】
また、２つのペーパーマガジン３１，３１から引き出された所定幅を有する印画紙Ｐを所定の長さにカットするカッター３４を、搬送経路２１におけるペーパーマガジン３１，３１の近くに２ヵ所設けている。
【００２１】
写真処理装置には、カッター３４でカットされた印画紙Ｐを、露光部２２に至るまでに、所定の位置に振り分けるための振り分け手段３５を設けている。この振り分け手段３５は、カッター３４出口において、カットされた印画紙Ｐをつかんで露光部２２の所定位置まで搬送するチャック３５ａを備えている。
【００２２】
チャック３５ａは、駆動ローラー４１および圧接ローラー４２のローラー幅方向に往復動可能とし、かつ、搬送経路２１に沿って往復動するようになっている。
そして、露光部２２の手前において、振り分け手段３５で印画紙Ｐを振り分けることにより、振り分けられた状態で露光部２２におけるライン露光および印字部２３における印字処理がなされ、そのまま、図示していないが、現像処理部へと搬送される。
【００２３】
また、本発明の写真処理装置は、コンピュータにより構成されるコントローラー５（制御手段）を備えており、このコントローラー５による制御で、写真処理装置の各機器の駆動制御を行うようにしている。
【００２４】
露光部２２に設ける露光装置３２は、光源３２ａと、この光源３２ａと光ファイバー束（図示せず）を介して接続され、印画紙Ｐの搬送方向と直交する方向に設けられたＰＬＺＴシャッター方式のライン露光ヘッド３２ｂと、光源３２ａとライン露光ヘッド３２ｂとの間の光路に配設される光質変調フィルター（図示せず）とから構成されており、ライン露光ヘッド３２ｂは、光ファイバーとともに露光ケース３２ｃ内に組み付けられている。
【００２５】
そして、コントローラー５からライン露光ヘッド３２ｂに画像が出力されると共に、ライン露光ヘッド３２ｂに、光源３２ａから光質変調フィルターを透過した光が送られて、このライン露光ヘッド３２ｂに対して、印画紙Ｐを１ドット列ずつ移送させることにより、印画紙Ｐがライン露光される。
【００２６】
なお、露光装置３２は、ＰＬＺＴシャッター方式に限らず、ライン露光されるものであればレーザービーム方式や蛍光ビーム方式、液晶シャッター方式などの他のデジタル露光方式であってもよく、仕様に応じて任意の方式を選択することができる。
【００２７】
露光部２２では、露光部入口側に設ける露光用第１搬送ローラー対４ａと出口側に設ける露光用第２搬送ローラー対４ｂとを備える露光位置搬送ユニット６から構成される搬送装置４を露光位置に配設させており、露光位置搬送ユニット６により、露光ヘッドにより露光される露光面に感光材料を搬入・搬出するようにしている。
【００２８】
そして、露光用第１搬送ローラー対４ａで印画紙Ｐを搬送しながら露光し、途中で露光用第２搬送ローラー対４ｂで印画紙Ｐを搬送しながら露光するようにしている。
【００２９】
これら露光用第１搬送ローラー対４ａと露光用第２搬送ローラー対４ｂも、駆動ローラー４１とこの駆動ローラー４１に圧接して共回りする圧接ローラー４２とから構成されており、駆動ローラー４１はそのローラー軸の両端を搬送ユニット６の支持板６１に回転可能に支持させるとともに、圧接ローラー４２も、そのローラー軸の両端を搬送ユニット６の支持板６１に回転可能に、かつ、駆動ローラー４１に対して圧接または離間するように支持されている。
【００３０】
そして、露光用第１搬送ローラー対４ａと露光用第２搬送ローラー対４ｂとは、コントローラー５による制御で、一方のローラー対が圧接状態のときには、他方のローラー対は、離間された状態となるようにして、どちらか一方のローラー対で印画紙Ｐを搬送するようにしている。
【００３１】
具体的には、露光用第１搬送ローラー対４ａと露光用第２搬送ローラー対４ｂとによる印画紙Ｐの搬送は、まず、入口側の露光用第１搬送ローラー対４ａで印画紙Ｐが挟持されながら搬送され、印画紙Ｐの先端がライン露光ヘッド３２ｂを通過すると、ライン露光ヘッド３２ｂから印画紙Ｐに露光が開始される。
【００３２】
そして、印画紙Ｐの先端が出口側の露光用第２搬送ローラー対４ｂに到達すると、露光用第２搬送ローラー対４ｂの圧接ローラー４２が圧接し、その直後に露光用第１搬送ローラー対４ａの圧接ローラー４２が離間して、露光用第１搬送ローラー対４ａから露光用第２搬送ローラー対４ｂに印画紙Ｐが受け渡されて、露光用第２搬送ローラー対４ｂで印画紙Ｐが挟持されながら搬送され、印字部２３へ向けて排出される。
【００３３】
印字部２３は、ライン露光された印画紙Ｐの裏面に必要なデータを印字するための印字装置３３を備えており、露光部２２でライン露光された印画紙Ｐが、駆動ローラー４１及び圧接ローラー４２によって搬送されながら印字装置３３の印字ヘッド３３ａによりデータが印字される。
【００３４】
以上の写真処理装置は、感光材料搬送装置４の駆動により、ペーパーマガジン３１，３１から搬送されてくる印画紙Ｐが、カッター３４でカットされた後、ペーパー振り分け手段３５を介して露光部２２に送られ、露光部２２に送られた印画紙Ｐは、露光位置搬送ユニット６の露光用第１搬送ローラー対４ａと露光用第２搬送ローラー対４ｂとにより、ライン露光ヘッド３２ｂに対して１ドット列ずつ移送されながらライン露光された後、印字装置３３で各種データが印字される。
【００３５】
以上の構成において、本実施の形態では、図２から図５に示すように、露光ヘッド３２ｂが組み付けられた露光ケース３２ｃを機体１のフレーム１１に取り付けるとともに、このフレーム１１に露光位置搬送ユニット６を取り付けている。
【００３６】
露光位置搬送ユニット６は、図２に示す露光ヘッド３２ｂに対して近接する搬送位置と、図３に示す露光ヘッド３２ｂから離間する退避位置とに移動できるようにしている。
【００３７】
具体的には、図２から図５に示すように、フレーム１１における露光ケース３２ｃの上方位置に、露光ヘッド３２ｂのライン方向と平行して延びるシャフト７の両端側を軸受を介して回転可能に支持するとともに、シャフト７の一端を正逆回転可能なＤＣモータ８（駆動手段）にウォームギヤ機構８１およびトルクリミター８２を介して接続している。
【００３８】
さらに、シャフト７に、露光用第１搬送ローラー対４ａと露光用第２搬送ローラー対４ｂが組みつけられた露光位置搬送ユニット６の支持板６１を固定することにより、露光位置搬送ユニット６をシャフトを介して機体１のフレーム１１に支持させている。
【００３９】
そして、ＤＣモータ８を駆動させることにより、露光位置搬送ユニット６がシャフト７の回転に伴って揺動され、図２に示す露光ヘッド３２ｂに対して近接する搬送位置から、図３に示す露光ヘッド３２ｂから離間する退避位置へ、また、その逆方向へ強制的に移動させるようになっている。
【００４０】
また、露光位置搬送ユニット６と機体１との間に異物が挟まれて露光位置搬送ユニット６が動かなくなる場合は、ＤＣモータ８に所定の負荷以上の負荷がかかるので、必要以上にＤＣモータ８に負荷がかかった場合には、シャフト７とＤＣモータ８の間に配設するトルクリミター８２を空転させるようにしている。
【００４１】
また、機体１のフレーム１１におけるシャフト７の一端部支持位置近くに、図２及び図３に示すように、露光位置搬送ユニット６の搬送装置と退避位置とを検出するための位置センサー７１，７１を２箇所設けている。この位置センサー７１，７１は、シャフト７に取りけるセンサー棒７２がシャフト７の回転に伴って揺動したときに、センサー棒７２を搬送位置または退避位置で検出するようになっている。
【００４２】
位置センサー７１，７１により露光位置搬送ユニット６の搬送位置と退避位置が検出されると検出結果がコントローラー５に入力され、コントローラー５からの出力で、所定の搬送位置または退避位置に到達したものとしてＤＣモータ８の駆動が停止される。
【００４３】
なお、露光位置搬送ユニット６を退避位置から搬送位置に移動させる場合には、後で詳記するがＤＣモータ８をオーバーラン制御するようにしている。
【００４４】
さらに、コントローラー５は、ＤＣモータ８が所定の方向に回転駆動し始めてから一定時間以内に位置センサー７１，７１により位置が検出できないときは異常事態が発生したものとして判断してＤＣモータ８を停止する制御も行うようになっている。
【００４５】
さらに、露光位置搬送ユニット６とフレーム１１との間には、露光位置搬送ユニット６を所定の搬送位置に位置決め（ライン露光ヘッド３２ｂに対する位置決め）する位置決め手段９を設けている。この位置決め手段９は、露光位置搬送ユニット６の両側の支持板６１から駆動ローラー４１など軸方向外方に延設される突設片６２に固定され、フレーム１１に向かって突き出た位置規制ピン９１により構成されており、この位置規制ピン９１により焦点距離を維持するようにしている。
【００４６】
即ち、この位置規制ピン９１の先端が機体１のフレーム１１に当接した時点で、露光位置搬送ユニット６の露光用第１搬送ローラー対４ａと露光用第２搬送ローラー対４ｂで構成される搬送面が露光ヘッド３２ｂによる露光される露光面（ピント面）と一致するようになっている。
【００４７】
また、位置規制ピン９１の先端をフレーム１１に当接させて露光ヘッド３２ｂに対する露光位置搬送ユニット６の位置決めを行うようにしているので、例えば露光位置搬送ユニット６に対し多少の振動が入力されて、露光ヘッド３２ｂと露光位置搬送ユニット６間の距離が変動すると、ピンボケになる可能性がある。
【００４８】
そのため、露光位置搬送ユニット６が退避位置から搬送位置に戻るときには、約２秒間、ＤＣモータ８をオーバーランさせて、常に露光位置搬送ユニットが露光ヘッド３２ｂ側に押し付けられた状態を維持するようにしている。
【００４９】
具体的には、駆動手段であるＤＣモータ８により露光位置搬送ユニット６が退避位置から搬送位置に強制移動されるときに、露光位置搬送ユニット６が位置規制ピン９１によって所定の搬送位置に到達した後もＤＣモータ８を一定時間（例えば約２秒間）駆動させるようにコントローラー５によりＤＣモータ８を駆動制御するようにしている。
【００５０】
このオーバーラン制御により、ＤＣモータ８を停止したとき、常に位置規制ピン９１をフレーム１１に押し付けた状態で露光位置搬送ユニット６を停止させられ、露光位置搬送ユニット６に多少の外部振動が入力されても露光位置搬送ユニット６が揺れることなく所定の搬送位置に確実に維持される。
【００５１】
さらに、写真処理装置では、機体１にライン露光ヘッド３２ｂからの光の発光量を測定する発光量測定センサー１０を搭載しており、この発光量測定センサー１０はライン露光ヘッド３２ｂの露光面における多数の素子の発光量をラインに沿って順次測定していくようになっている。
【００５２】
そして、発光量測定センサー１０は、搬送ユニット６の搬送面と一致する露光面において発光量を測定するものであるから、発光量の測定時は、露光位置搬送ユニット６に干渉されないようにするため、露光位置搬送ユニット６を退避位置に位置させておくようになっている。
【００５３】
発光量測定センサー１０は、露光ヘッド３２ｂのラインに沿って移動させながら測定していくようにするため、まず、図示していないが、機体１のフレーム１１の下部に、露光ヘッド３２ｂのライン方向と平行して設けられるガイドレール１４を取り付けて、このガイドレール１４に支持台１３をスライド可能に取り付けている。
【００５４】
さらに、長尺なボールネジ１２を機体１のフレーム１１の下部に支持させるのであるが、このボールネジ１２は、露光ヘッド３２ｂのライン方向およびガイドレール１４と平行させた状態で両端側をフレーム１１に回転可能に支持しており、このボールネジ１２に発光量測定センサー１０を支持するための支持台１３を螺着し、ボールネジ１２の回転駆動に伴って支持台１３が軸方向に移動できるようになっている。
【００５５】
ボールネジ１２は、その一端部に第１プーリー１５を取り付けて、この第１プーリー１５と、図示していないがボールネジ１２駆動用のモータに設ける駆動軸１６の第２プーリー１７とにエンドレスベルト１８を掛け渡して、ボールネジ１２を回転駆動させるようにしている。このモータもコントローラー５による制御で駆動するようになっている。
【００５６】
ボールネジ１２が回転すると、支持台１３がガイドレール１４に案内されながら軸方向どちらか一方に移動するようになっており、露光位置搬送ユニット６が図２に示す搬送位置にあるときは露光位置搬送ユニット６と干渉しない非干渉位置（図４および図５に示す位置。）に発光量測定センサー１０を位置させ、露光位置搬送ユニット６が図３に示す退避位置に位置したときには露光ヘッド３２ｂと対向する発光量測定位置に位置させながらガイドレール１４に沿ってライン方向に移動するようにしている。
【００５７】
以上、本実施の形態によれば、例えば露光位置搬送ユニット６内で紙づまりが生じた場合でも、露光位置搬送ユニット６を退避位置に揺動させて、紙づまりした印画紙を取り出すことができるので、紙づまりした紙の取り出しやローラーの清掃などのメンテナンス作業が容易に行なえる。
【００５８】
また本実施の形態によれば、発光量測定センサー１０で露光ヘッド３２ｂの発光量を測定する場合には、ＤＣモータ８を駆動させてシャフト７を軸として露光位置搬送ユニット６を退避位置に向けて強制的に揺動回転させることにより、露光位置搬送ユニット６を発光量測定センサー１０と干渉させない退避位置まで退避させることができる。
【００５９】
その結果、露光ヘッド３２ｂの発光量を測定する露光面と露光位置搬送ユニット６の搬送面とが同一面上にあっても、露光位置搬送ユニット６を機体１から取り外すことなく、印画紙Ｐへの露光と発光量の測定とを行うことができるので作業性を向上できる。
【００６０】
また、露光位置搬送ユニット６を所定の搬送位置に位置決めする位置規制ピン９１を設けているので、搬送ユニット６を退避位置から搬送位置に移動させるときでも、ピント面が一致した所定の搬送位置に簡単に位置づけさせることができる。
【００６１】
さらには、露光位置搬送ユニット６を退避位置から搬送位置に移動させた場合でも、位置決め手段９の位置規制ピン９１を設け、かつ、ＤＣモータ８により露光位置搬送ユニット６を搬送位置と退避位置とに強制的に移動させるようにし、ＤＣモータ８により露光位置搬送ユニット６が退避位置から搬送位置に強制移動されるときに、露光位置搬送ユニット６が所定の搬送位置に到達した後もＤＣモータ８を一定時間駆動させるようにコントローラー５により制御するようにしたから、このオーバーラン制御により露光位置搬送ユニット６に多少の外部振動が入力されても露光位置搬送ユニット６が揺れることなく露光位置搬送ユニット６を所定の位置に確実に維持することができる。
【００６２】
その結果、露光面（ピント面）に対する露光位置搬送ユニット６の搬送面のずれが生じることもなくなり、ズレ量をピント、色ズレの規定範囲内に収めることができ、位置の再現性、ピントの安定性の向上が図れる。
【００６３】
さらに、プリントアウトされたプリントを直接スキャニングして補正する必要が無くなり、補正機能のオート化も可能となる。
【００６４】
また、フラットベットスキャナーなどのスキャニング装置が不要となり、コスト、スペース的にも有利になる。
【００６５】
なお、本実施の形態では、露光位置搬送ユニット６をフレーム１１に片もち支持させて揺動させることにより、露光位置搬送ユニット６を搬送位置と退避位置とに移動できるようにしたが、露光位置搬送ユニット６を露光ヘッド３２ｂに対して平行状態のまま搬送位置と退避位置とに移動する構成としてもよい。
【００６６】
また、搬送ユニット６は、ＤＣモータ８で強制的に移動させるようにしたが、手動で移動させるようにしても差し支えない。
【図面の簡単な説明】
【００６７】
【図１】本発明にかかる写真処理装置の断面図。
【図２】本発明にかかる写真処理装置の露光位置搬送ユニットが搬送位置にある状態を示す要部側面図。
【図３】本発明にかかる写真処理装置の露光位置搬送ユニットが退避位置にある状態を示す要部側面図。
【図４】図３におけるＡ方向から見た側面図であって、露光位置搬送ユニットは仮想線で示している。
【図５】図２の上面図。
【符号の説明】
【００６８】
Ｐ     印画紙（感光材料）
３２ｂ 露光ヘッド
４ａ，４ｂ 搬送ローラー対
５     コントローラー（制御手段）
６     露光位置搬送ユニット
８     ＤＣモータ（駆動手段）
９     位置決め手段
【図１】
2005346111.tif 000003
【図２】
2005346111.tif 000004
【図３】
2005346111.tif 000005
【図４】
2005346111.tif 000006
【図５】
2005346111.tif 000007